(57)【要約】【課題】排水口に被せることにより、排水口の内部から外部へ臭気が漏洩するのを防止し、着脱自在に排水口へ被せることができる臭気遮断蓋を提供する。【解決手段】臭気遮断蓋１０は、袋体１１に水１２及び空気１３を所定の割合で封入して構成され、該袋体１１は、一対の略円形状の軟質プラスチックフィルム１４ａ，１４ｂからなり、偏平で平面形状が円形に形成されている。また袋体１１の周縁にはフランジ１５が形成されている。そして、袋体１１を軟質プラスチックフィルム１４ｂを下面側にして、排水口２０に被せると、排水口２０の部分に集まる袋体１１内の水１２が軟質プラスチックフィルム１４ｂを押圧するので、袋体１１を排水口２０の周縁部２０ａに密着させることができる。したがって、袋体１１で排水口２０を塞ぐことができる。【選択図】図１
2010090576.tif 000002
【特許請求の範囲】
【請求項１】
排水口の内部から外部へ臭気が漏洩するのを防止するため排水口に被せる臭気遮断蓋であって、
軟質プラスチックフイルムからなる袋体に、液体若しくはゲルと、気体とを所定の割合で封入したことを特徴とする臭気遮断蓋。
【請求項２】
偏平で平面形状が円形の前記袋体を用いたことを特徴とする請求項１に記載の臭気遮断蓋。
【請求項３】
略逆円錐形状の前記袋体を用いたことを特徴とする請求項１に記載の臭気遮断蓋。
【発明の詳細な説明】
【技術分野】
【０００１】
本発明は、排水口の内部から外部へ臭気が漏洩することを防止する臭気遮断蓋に関する。
【背景技術】
【０００２】
一般的な住宅に設けられている排水設備は、水洗便所からの排水を導く汚水系統、洗面台、台所、浴室、洗濯機置き場等からの排水を導く雑排水系統、屋根やバルコニーに降った雨水を導く雨水系統の三系統に大きく分けることができる。
上記の排水系統はそれぞれ排水管を介して下水道に接続されている。そして、該排水管の途中には臭気止め（以下「トラップ」という）が設けられ、下水道から排水管を通じて室内へ漏洩する有毒なガス、臭気等が当該排水管の途中で遮断されている。
【０００３】
トラップは、例えば、排水管を途中でＳ字状に湾曲させたＳトラップや、排水管の端部に伏せ椀形状のカップを被せた椀トラップといったものが知られている。該トラップ内に貯留させた水（以下「封水」という）によって排水管は封じられている。そのため、下水道から排水管を通じ、排水口の内部から外部へ漏洩する有毒なガス、臭気等を防ぐことができる。
【０００４】
上記封水は、引っ越し、或いは長期に亘る旅行等によって住宅が長期間無人になった場合、蒸発するおそれがある。
そこで、特開２００６−１２５１２９号公報に開示されている防臭用カバーは、排水口等の開口部を塞ぐ閉塞部材と、該閉塞部材の臭気発生源側（排水管側）に保持された消臭剤とからなり、前記閉塞部材に塗布された接着剤によって、排水口の周縁に前記防臭用カバーを貼着することにより、排水管等で発生する臭気が排水口等の開口部から室内へ漏洩することを防いでいる。
【特許文献１】特開２００６−１２５１２９号公報
【発明の開示】
【発明が解決しようとする課題】
【０００５】
しかしながら、上記の防臭用カバーは、接着剤によって排水口の開口部に接着されている。そのため、取り外すときに手間がかかり、また、排水口の周縁に剥がし損ねた接着剤が残るおそれがある。
【０００６】
したがって、本発明は、排水口に被せることにより、排水口の内部から外部へ臭気が漏洩するのを防止し、着脱自在に排水口へ被せることができる臭気遮断蓋を提供することを目的とする。
【課題を解決するための手段】
【０００７】
請求項１に記載の臭気遮断蓋は、排水口の内部から外部へ臭気が漏洩するのを防止するため排水口に被せる臭気遮断蓋であって、軟質プラスチックフイルムからなる袋体に、液体若しくはゲルと、気体とを所定の割合で封入したことを特徴とする。
【０００８】
請求項２に記載の臭気遮断蓋は、請求項１に記載の発明において、偏平で平面形状が円形の前記袋体を用いたことを特徴とする。
【０００９】
請求項３に記載の臭気遮断蓋は、請求項１に記載の発明において、略逆円錐形状の前記袋体を用いたことを特徴とする。
【発明の効果】
【００１０】
請求項１に記載の発明によれば、袋体を排水口に被せると、封入した液体若しくはゲルが排水口部分に集まり、当該液体若しくはゲルが軟質プラスチックフィルムを押圧するので、袋体を排水口の周縁部に密着させることができ、臭気遮断蓋で排水口を塞ぐことができる。そのため、排水口の内部から外部へ漏洩する臭気を遮断することができる。
そして、袋体に封入した液体若しくはゲルが軟質プラスチックフィルムを押圧しているだけであるので、排水口に被せた臭気遮断蓋を自在に着脱することができる。
【００１１】
請求項２に記載の発明によれば、袋体の平面形状を円形としたことから、軟質プラスチックフィルムを排水口の周縁部へ均等に密着させることができる。そのため、軟質プラスチックフィルム表面に皺や折り曲げ跡が発生したとしても、その皺等による隙間から、臭気が漏洩することを防ぐことができる。
【００１２】
請求項３に記載の発明によれば、袋体を逆円錐形状としたことから、突部を排水口に差し込むことにより、袋体を安定させて排水口に被せることができる。また、排水口の直径に関わらず、臭気遮断蓋を排水口に被せることができる。
【実施例１】
【００１３】
本発明に係る実施例を添付した図にしたがって説明する。臭気遮断蓋の斜視図を図１に示す。また、臭気遮断蓋の使用例の概略を示した縦断面図を図２に示す。
【００１４】
臭気遮断蓋１０は、袋体１１に水１２及び空気１３を所定の割合で封入して構成される。
袋体１１は、一対の略円形状の軟質プラスチックフィルム１４ａ，１４ｂからなり、偏平で平面形状が円形となるように形成されている。軟質プラスチックフィルム１４ａと軟質プラスチックフィルム１４ｂは互いに周縁が溶着によって貼り合わされ、フランジ１５が袋体１１の周縁に形成されている。フランジ１５の側縁部に切れ込みを形成して臭気遮断蓋１０の使用後に、袋体１１の中身を容易に廃棄することができるようにしても良い。
【００１５】
袋体１１の直径のサイズは、排水口２０の直径の規格に準拠して、数種類形成されている。なお、図２に示すように、袋体１１の直径に対して、排水口２０の直径が約７割〜約９割であることが好ましい。
ここで、排水口２０の直径に対し、袋体１１の直径が小さすぎる場合、排水口２０の中に袋体１１が落ちるおそれがあり、また、フランジ１５が折れ曲がったりして、軟質プラスチックフィルム１４ａ，１４ｂが排水口２０に密着しないので、臭気の漏洩を十分に防ぐことができない。
一方、排水口２０の直径に対し、袋体１１の直径が大きすぎる場合、軟質プラスチックフィルム１４ａ，１４ｂの表面に皺が生じ、軟質プラスチックフィルム１４ａ，１４ｂが排水口２０に密着しないので、臭気の漏洩を十分に防ぐことができない。
【００１６】
軟質プラスチックフィルム１４ａ，１４ｂは、少なくとも一枚の合成樹脂製フィルムからなる。好ましくは、用途に合せた合成樹脂製フィルムを複数枚積層して軟質プラスチックフィルム１４ａ，１４ｂを形成する。
本実施例においては、袋体１１の内側に相当する軟質プラスチックフィルム１４ａ，１４ｂの裏面側は、耐水性、防湿性に優れたポリエチレンからなる合成樹脂製フィルムが配されている。また、袋体１１の外側に相当する軟質プラスチックフィルム１４ａ，１４ｂの表面側は、耐皺性、耐屈曲性に優れたナイロンやポリエチレンテレフタラート（ＰＥＴ）からなる合成樹脂製フィルムが配されている。なお、軟質プラスチックフィルム１４ａ，１４ｂの構造は上記の合成樹脂に限定されるものではなく、同様の性質を呈する合成樹脂から軟質プラスチックフィルム１４ａ，１４ｂを形成することができる。
【００１７】
袋体１１に封入されている水１２の水量は、水１２を封入した袋体１１の重量と、袋体１１の浮力が釣り合うように調整されている。本実施例において封入されている水１２の水量は、袋体１１の容量の約１／５程度である。
ここで、封入される水量が少なすぎると、袋体１１の中心部分へ十分に水１２が集まらないので、軟質プラスチックフィルム１４ｂが排水口２０に密着せず、排水口２０を塞ぐことができない。
一方、封入される水量が多すぎると、臭気遮断蓋１０で排水口２０を塞いでいるときに、万が一、排水口２０が設けられている水槽内に水が流入した場合、臭気遮断蓋１０が浮き上がらないため、排水口２０に水が流れず、室内に溢れてしまうおそれがある。
【００１８】
また、袋体１１に封入される水１２に替えて、袋体１１へゼリー状の固体であるゲルを封入しても良い。ゲルは水１２に比べて粘性があり重いので、袋体１１を排水口２０に被せたとき、袋体１１の中身が動き難くなることから、袋体１１を排水口２０からズレにくくすることができる。
さらに、水１２に洗浄剤を溶かした水溶液又は洗浄剤と前記ゲルとを混合したものを袋体１１に封入しても良い。これにより、袋体１１の中身を廃棄するとき、排水管２３を洗浄することができる。
そして、水１２に消臭剤を溶かした水溶液又は消臭剤と前記ゲルとを混合したものを袋体１１に封入しても良い。これにより、袋体１１の中身を廃棄したとき、排水管２３からの臭気を消臭することができる。
さらにまた、水１２に芳香剤を溶かした水溶液又は芳香剤と前記ゲルとを混合したものを袋体１１に封入しても良い。これにより、袋体１１の中身を廃棄したとき、排水管２３からの臭気を芳香剤によって抑えることができる。
【００１９】
袋体１１に封入されている空気１３は、本実施例においては約一気圧であるが、加圧した空気１３を袋体１１に封入しても良い。封入した空気１３によって袋体１１は浮力を有する。
なお、本実施例においては空気１３を用いたが、これに限定されるものではなく、窒素等の不燃性ガスを封入しても良い。
【００２０】
上記構成の臭気遮断蓋１０は、以下のように使用される。ここで、図２は、流し２１の底面部を拡大した部分縦断面図であって、排水口２０と、排水口２０の内部に設けられた伏せ椀形状の椀トラップ２２と、該椀トラップ下部に接続された排水管２３が示されている。
【００２１】
図２に示すように、袋体１１を軟質プラスチックフィルム１４ｂを下面側にして、排水口２０に被せると、排水口２０の部分に袋体１１内の水１２が集まる。該水１２が軟質プラスチックフィルム１４ｂを押圧するので、袋体１１を排水口２０の周縁部２０ａに密着させることができる。
このように袋体１１により排水口２０を塞ぐことができるので、排水口２０の内部にあるトラップ２２の封水３０が切れた場合であっても、排水口２０の内部や排水管２３から排水口２０の外部へ臭気が漏洩することを防止することができる。
【００２２】
また、臭気遮断蓋１０は、水１２が軟質プラスチックフィルム１４ｂを押圧して、排水口２０を塞いでいるので、排水口２０の周縁部２０ａに接着剤で貼り付けて排水口２０を密封するシールと異なり、自在に着脱することができ、取り扱いが容易である。
さらに、袋体１１に封入されているのが水１２であることから、使用後の臭気遮断蓋１０の廃棄が容易であり、環境に負担をかけないようにすることができる。
【００２３】
ここで、水が流し２１に溜まった場合、袋体１１に封入した空気１３による浮力によって、袋体１１を浮かせることができる。このとき軟質プラスチックフィルム１４ｂが排水口２０の周縁部２０ａから離れるので、流し２１に溜まった水は軟質プラスチックフィルム１４ｂと排水口２０との間に生じた隙間から排水管２３へ排出することができる。
【実施例２】
【００２４】
次に、他の実施例を添付した図にしたがって説明する。臭気遮断蓋の斜視図を図３に示す。また、台所の流しの底面付近の部分断面図を共に、臭気遮断蓋の使用例の概略を示した縦断面図を図４に示す。
【００２５】
臭気遮断蓋１０Ａは、袋体１１Ａに水１２及び空気１３を所定の割合で封入して構成される。
袋体１１Ａは、略円形状の軟質プラスチックフィルム１４ａと、略円錐状の軟質プラスチックフィルム１４ｃとからなり、軟質プラスチックフィルム１４ａと軟質プラスチックフィルム１４ｃは互いに周縁が溶着によって貼り合わされ、下側に突部１６を有する略逆円錐状に形成されている。軟質プラスチックフィルム１４ａ，１４ｃが貼り合わされた周縁部にはフランジ１５が形成されている。
ここで、略逆円錐状に形成された袋体１１Ａは、袋体１１Ａの突部１６を排水口２０に差し込むようにして排水口２０に袋体１１Ａを被せるので、排水口２０の直径の規格に関わらず、排水口２０に軟質プラスチックフィルム１４ｃを密着させることができる。
【００２６】
軟質プラスチックフィルム１４ａ，１４ｃを構成する合成樹脂製フィルムは、第１実施例と同様であるので、説明を省略する。
また、袋体１１に封入される水１２に替えて、第１実施例に示したようにゲルや種々の薬剤を混合したものを用いても良い。
【００２７】
上記構成の臭気遮断蓋１０Ａは、以下のように使用される。ここで、図４は、流し２１の底面部を拡大した部分縦断面図であって、第１実施例と同様に排水設備が示されている。
【００２８】
図４に示すように、袋体１１Ａの突部１６を排水口２０の内部に差し込むようにして、排水口２０に袋体１１Ａを被せると、突部１６に水１２が溜まる。該水１２が軟質プラスチックフィルム１４ｃを押圧するので、袋体１１Ａを排水口２０の周縁部２０ａに密着させることができる。
このように袋体１１Ａにより排水口２０を塞ぐことができるので、排水口２０の内部にあるトラップ２２の封水３０が切れた場合であっても、排水口２０の内部や排水管２３から排水口２０の外部へ臭気が漏洩することを防止することができる。
【００２９】
また、第１実施例と同様に、臭気遮断蓋１０Ａは、水１２が軟質プラスチックフィルム１４ｃを押圧して、排水口２０を塞いでいるので、排水口２０の周縁部２０ａに接着剤で貼り付けて排水口２０を密封するシールと異なり、自在に着脱することができ、取り扱いが容易である。
さらに、袋体１１Ａに封入されているのが水１２であることから、使用後の臭気遮断蓋１０の廃棄が容易であり、環境に負担をかけないようにすることができる。
【００３０】
本実施例に係る臭気遮断蓋１０，１０Ａによれば、接着剤を縁部に塗布したシールで排水口２０を密封していないので、自在に着脱することができる。また、臭気遮断蓋１０，１０Ａを排水口２０から取り外したときに、前記シールのように、排水口２０の周縁部２０ａに剥がし損ねた接着剤の跡が残るおそれがない。そのため、臭気遮断蓋１０，１０Ａの使用した後も流し２１等を綺麗に使用することができ、また繰り返して臭気遮断蓋１０，１０Ａを使用することができる。
【００３１】
さらに、旅行等で長期間に亘って、排水口２０へ臭気遮断蓋１０，１０Ａを被せる必要がある場合、流し２１に蛇口から少量の水を滴下させるようにすれば、流し２１にある程度水が溜まったとき、臭気遮断蓋１０，１０Ａは浮いて、該水を排水し、排水後に下がって、排水口２０へ臭気遮断蓋１０，１０Ａは再び被せられる。すなわち、排水口２０内部のトラップ２２へ封水３０を定期的に供給することができるので、トラップ２２と臭気遮断蓋１０，１０Ａで排水口２０の内部から外部へ臭気等が漏洩することを防ぐことができる。
【００３２】
また、賃貸住宅等で長期間無人であった場合、排水口２０に被せた臭気遮断蓋１０，１０Ａを外す前に、そのまま流し２１へ水を流して封水３０を供給することにより、排水設備を使用する前に臭気が排水口２０の内部から外部へ漏洩することを防ぐことができる。このとき、流し２１に水が溜まると臭気遮断蓋１０，１０Ａは浮き上がるので、室内に水が溢れ出てしまうことを防ぐことができる。
【図面の簡単な説明】
【００３３】
【図１】第１実施例に係る臭気遮断蓋を示す斜視図である。
【図２】第１実施例に係る臭気遮断蓋の使用方法を説明するための縦断面図である。
【図３】第２実施例に係る臭気遮断蓋を示す斜視図である。
【図４】第２実施例に係る臭気遮断蓋の使用方法を説明するための縦断面図である。
【符号の説明】
【００３４】
１０，１０Ａ…臭気遮断蓋、１１，１１Ａ…袋体、１２…水、１３…空気、１４ａ，１４ｂ，１４ｃ…軟質プラスチックフィルム、１５…フランジ、１６…突部、
２０…排水口、２０ａ…排水口端部、２１…流し、２２…トラップ、２３…排水管、
３０…封水。
【図１】
2010090576.tif 000003
【図２】
2010090576.tif 000004
【図３】
2010090576.tif 000005
【図４】
2010090576.tif 000006